(57)【要約】【課題】照明装置の天井から下方への突出量を軽減させつつ、浴室空間全体が暗くなることを抑制できる浴室を提供する。【解決手段】開口部を有する天井と、開口部に設けられる照明装置と、を備えた浴室であって、照明装置は、光を照射する照明部と、照明部の下方及び側方を覆い、照明部から照射された光を透過可能なカバー部と、を有し、照明部は、一部が開口部の下端よりも上方に位置し、別の一部が開口部の下端よりも下方に位置するように設けられ、カバー部は、照明部の下方を覆う下面部と、照明部の側方を覆う側面部と、を有し、側面部の光透過率は、下面部の光透過率よりも高く、側面部は、上方に向かうにつれ中央に近づくように構成されていることを特徴とする浴室。【選択図】図３
2020136049.tif 000002
【特許請求の範囲】
【請求項１】
開口部を有する天井と、前記開口部に設けられる照明装置と、を備えた浴室であって、
前記照明装置は、
光を照射する照明部と、
前記照明部の下方及び側方を覆い、前記照明部から照射された光を透過可能なカバー部と、
を有し、
前記照明部は、一部が前記開口部の下端よりも上方に位置し、別の一部が前記開口部の下端よりも下方に位置するように設けられ、
前記カバー部は、前記照明部の下方を覆う下面部と、前記照明部の側方を覆う側面部と、を有し、
前記側面部の光透過率は、前記下面部の光透過率よりも高く、
前記側面部は、上方に向かうにつれ中央に近づくように構成されていることを特徴とする浴室。
【請求項２】
前記側面部は、上方に向かうにつれ中央に近づくように傾斜していることを特徴とする請求項１記載の浴室。
【請求項３】
前記側面部は、上方に向かうにつれ中央に近づくように湾曲していることを特徴とする請求項１記載の浴室。
【請求項４】
前記下面部の平面視における面積は、前記開口部の平面視における面積よりも大きいことを特徴とする請求項１〜３のいずれか１つに記載の浴室。
【請求項５】
開口部を有する浴室の天井に設けられる照明装置であって、
光を照射する照明部と、
前記照明部の下方及び側方を覆い、前記照明部から照射された光を透過可能なカバー部と、
を備え、
前記照明部は、一部が前記開口部の下端よりも上方に位置し、別の一部が前記開口部の下端よりも下方に位置するように設けられ、
前記カバー部は、前記照明部の下方を覆う下面部と、前記照明部の側方を覆う側面部と、を有し、
前記側面部の光透過率は、前記下面部の光透過率よりも高く、
前記側面部は、上方に向かうにつれ中央に近づくように構成されていることを特徴とする照明装置。
【発明の詳細な説明】
【技術分野】
【０００１】
本発明の態様は、一般的に、浴室及び照明装置に関する。
【背景技術】
【０００２】
浴室空間に照明装置を設けることが、知られている（特許文献１）。浴室の照明装置において、浴室空間を広くするために、光を照射する照明部の一部を天井よりも上方に配置し、照明装置の天井から下方への突出量を軽減させることが考えられる。
【先行技術文献】
【特許文献】
【０００３】
【特許文献１】特開２００４−２０２２６３号公報
【発明の概要】
【発明が解決しようとする課題】
【０００４】
しかしながら、このように照明部の一部を天井よりも上方に配置すると、照明部から照射された光のうち、浴室内へ入射する光の光量が減少してしまい、浴室空間全体が暗くなってしまう。その結果、従来並みの浴室内の明るさにするためには、従来よりも強い光を照射する照明部が必要になってしまい、消費電力などコストが増大してしまう。
【０００５】
本発明は、かかる課題の認識に基づいてなされたものであり、照明装置の天井から下方への突出量を軽減させつつ、浴室空間全体が暗くなることを抑制できる浴室及び照明装置を提供することを目的とする。
【課題を解決するための手段】
【０００６】
第１の発明は、開口部を有する天井と、前記開口部に設けられる照明装置と、を備えた浴室であって、前記照明装置は、光を照射する照明部と、前記照明部の下方及び側方を覆い、前記照明部から照射された光を透過可能なカバー部と、を有し、前記照明部は、一部が前記開口部の下端よりも上方に位置し、別の一部が前記開口部の下端よりも下方に位置するように設けられ、前記カバー部は、前記照明部の下方を覆う下面部と、前記照明部の側方を覆う側面部と、を有し、前記側面部の光透過率は、前記下面部の光透過率よりも高く、前記側面部は、上方に向かうにつれ中央に近づくように構成されていることを特徴とする浴室である。
【０００７】
この浴室によれば、光を照射する照明部の一部を天井の開口部の下端よりも上方に配置することで、照明装置の天井から下方への突出量を軽減させることができる。その上で、照明部の別の一部を開口部の下端よりも下方に配置しつつ、カバー部の側面部の光透過率を下面部の光透過率より高いものとすることで、照明部から水平方向に照射された光を有効利用して、照明装置の側方に光を効果的に照射することができる。したがって、浴室空間全体が明るくなり、快適に浴室を利用することができる。また、照明装置の側方に光を照射すると、天井と側面部とで形成される入角に光が当たりやすくなるが、側面部を上方に向かうにつれ中央に近づくように構成することで、入角を入浴者の目に触れにくくすることができる。入角は水が溜まりやすく乾燥しにくいためカビなどによる黒ずみが発生しやすいが、この構成により、入角に光が当たりやすくなった際にも、意匠性が低下してしまうことを抑制できる。
【０００８】
第２の発明は、第１の発明において、前記側面部は、上方に向かうにつれ中央に近づくように傾斜していることを特徴とする浴室である。
【０００９】
この浴室によれば、側面部を上方に向かうにつれ中央に近づくように傾斜させることで、入角に溜まった水がより速やかに排出されやすくなる。これにより、入角に黒ずみが発生することを抑制できる。
【００１０】
第３の発明は、第１の発明において、前記側面部は、上方に向かうにつれ中央に近づくように湾曲していることを特徴とする浴室である。
【００１１】
この浴室によれば、側面部を上方に向かうにつれ中央に近づくように湾曲させることで、入角に溜まった水がより速やかに排出されやすくなる。これにより、入角に黒ずみが発生することを抑制できる。
【００１２】
第４の発明は、第１〜第３のいずれか１つの発明において、前記下面部の平面視における面積は、前記開口部の平面視における面積よりも大きいことを特徴とする浴室である。
【００１３】
この浴室によれば、下面部の平面視における面積を開口部の平面視における面積よりも大きくすることで、照明部から照射され下面部の内側に反射した光が開口部内に入ってしまうことを抑制できる。これにより、照明部から照射された光をより有効に利用することができる。
【００１４】
第５の発明は、開口部を有する浴室の天井に設けられる照明装置であって、光を照射する照明部と、前記照明部の下方及び側方を覆い、前記照明部から照射された光を透過可能なカバー部と、を備え、前記照明部は、一部が前記開口部の下端よりも上方に位置し、別の一部が前記開口部の下端よりも下方に位置するように設けられ、前記カバー部は、前記照明部の下方を覆う下面部と、前記照明部の側方を覆う側面部と、を有し、前記側面部の光透過率は、前記下面部の光透過率よりも高く、前記側面部は、上方に向かうにつれ中央に近づくように構成されていることを特徴とする照明装置である。
【００１５】
この照明装置によれば、光を照射する照明部の一部を天井の開口部の下端よりも上方に配置することで、照明装置の天井から下方への突出量を軽減させることができる。その上で、照明部の別の一部を開口部の下端よりも下方に配置しつつ、カバー部の側面部の光透過率を下面部の光透過率より高いものとすることで、照明部から水平方向に照射された光を有効利用して、照明装置の側方に光を効果的に照射することができる。したがって、浴室空間全体が明るくなり、快適に浴室を利用することができる。また、この際、天井と側面部とで形成される入角に光が当たりやすくなるが、側面部を上方に向かうにつれ中央に近づくように構成することで、入角を入浴者の目に触れにくくすることができる。入角は水が溜まりやすく乾燥しにくいためカビなどによる黒ずみが発生しやすいが、この構成により、入角に光が当たりやすくなった際にも、意匠性が低下してしまうことを抑制できる。
【発明の効果】
【００１６】
本発明の態様によれば、照明装置の天井から下方への突出量を軽減させつつ、浴室空間全体が暗くなることを抑制できる浴室及び照明装置が提供される。
【図面の簡単な説明】
【００１７】
【図１】実施形態に係る浴室を模式的に表す斜視図である。
【図２】実施形態に係る照明装置を模式的に表す側面図である。
【図３】実施形態に係る照明装置を模式的に表す断面図である。
【図４】実施形態に係る照明装置を模式的に表す平面図である。
【図５】実施形態に係る浴室を模式的に表す平面図である。
【図６】実施形態に係る照明装置の変形例を模式的に表す正面図である。
【図７】実施形態に係る照明装置の変形例を模式的に表す断面図である。
【図８】実施形態に係る浴室の変形例を模式的に表す平面図である。
【発明を実施するための形態】
【００１８】
以下、本発明の実施の形態について図面を参照しつつ説明する。なお、各図面中、同様の構成要素には同一の符号を付して詳細な説明は適宜省略する。
図１は、実施形態に係る浴室を模式的に表す斜視図である。  
図１に表したように、浴室２は、浴槽３と、洗い場床４と、壁パネル５と、天井６と、照明装置１０と、水栓装置２０と、洗面カウンター３０と、鏡４０と、を備えている。
【００１９】
洗い場床４は、浴槽３に隣接して設けられる。壁パネル５は、例えば、壁パネル５ａ〜５ｄを有する。壁パネル５ａ〜５ｄは、浴槽３及び洗い場床４を囲むように設けられる。壁パネル５ａ及び５ｂは、浴槽３の短手方向に沿う。壁パネル５ａは、壁パネル５ｂと対向する。壁パネル５ｃ及び５ｄは、浴槽３の長手方向に沿う。壁パネル５ｃは、壁パネル５ｄと対向する。壁パネル５ｃは、浴槽３側に設けられており、壁パネル５ｄは、洗い場床４側に設けられている。
【００２０】
天井６は、浴槽３の上方及び洗い場床４の上方に設けられる。天井６は、上下方向に貫通する開口部６ａを有する。開口部６ａは、洗い場床４の上方に設けられている。
【００２１】
浴室２は、例えば、浴槽３、洗い場床４、周囲の各壁パネル５、及び天井６などをユニット化した、いわゆるユニットバスやシステムバスなどである。浴室２は、建築躯体の内部に設置して使用される。
【００２２】
照明装置１０は、天井６の開口部６ａにおいて、開口部６ａの下端（天井６の下面）から下方に突出するように設けられる。照明装置１０は、下方及び側方に向かって光（可視光）を照射する。これにより、浴室２内を明るくすることができる。照明装置１０は、浴槽３の長手方向において、鏡４０と並ぶように設けられている。照明装置１０については、後述する。
【００２３】
水栓装置２０は、水または湯を吐出する。水栓装置２０は、壁パネル５の１つに設けられる。この例では、水栓装置２０は、壁パネル５ａに設けられている。また、水栓装置２０は、壁パネル５ａにおいて、洗い場床４の上方に設けられている。水栓装置２０は、浴槽３の短手方向に延び壁パネル５ａから突出する平板状であり、上面にシャンプーボトルなどの物品を載置可能な平面部を有する。水栓装置２０は、いわゆる水栓カウンターである。
【００２４】
洗面カウンター３０は、水栓装置２０の下方に設けられる。この例では、洗面カウンター３０は、壁パネル５ａにおいて、水栓装置２０の下方に設けられている。また、洗面カウンター３０は、浴槽３の短手方向において、浴槽３と重なる位置に設けられている。洗面カウンター３０は、浴槽３の短手方向に延び壁パネル５ａから突出する平板状であり、上面に洗面器などの物品を載置可能な平面部を有する。洗面カウンター３０は、必要に応じて設けられ、省略可能である。
【００２５】
鏡４０は、水栓装置２０の上方に設けられる。この例では、鏡４０は、壁パネル５ａにおいて、水栓装置２０の上方に設けられている。鏡４０は、必要に応じて設けられ、省略可能である。
【００２６】
図２は、実施形態に係る照明装置を模式的に表す側面図である。  
図３は、実施形態に係る照明装置を模式的に表す断面図である。  
図２は、図１に示すＡの方向から見た側面図である。  
図３は、図１に示すＢ１−Ｂ２線における断面を示す断面図である。  
図２及び図３に表したように、照明装置１０は、天井６の開口部６ａを貫通するように設けられる。照明装置１０は、本体部１２と、照明部１４と、カバー部１６と、を有する。
【００２７】
本体部１２は、天井６の開口部６ａを貫通し上方に突出するカップ部１２ａと、カップ部１２ａの下端から外側に拡がるフランジ部１２ｂを有している。カップ部１２ａの上部には、照明部１４を取り付けるためのソケット１２ｃが設けられている。フランジ部１２ｂは、天井６の下面にネジ止めにより固定されている。
【００２８】
照明部１４は、光を照射する。照明部１４は、例えば、電球である。照明部１４は、例えば、ＬＥＤ（Light Emitting Diode）、ＬＤ（Laser Diode）、またはＯＬＥＤ（Organic Light Emitting Diode）などの光源を有する。光源は、上記に限ることなく、光（可視光）を照射する任意の光源でよい。
【００２９】
照明部１４は、本体部１２とカバー部１６とにより形成される空間の内部に設けられる。照明部１４とカバー部１６との間は、例えば、空気で満たされている。照明部１４から照射された光は、空気を伝わってカバー部１６に入射する。照明部１４は、本体部１２のカップ部１２ａに設けられたソケット１２ｃに取り付けられる。
【００３０】
照明部１４は、一部１４ａが開口部６ａの下端（天井６の下面）よりも上方に位置し、別の一部１４ｂが開口部６ａの下端（天井６の下面）よりも下方に位置するように設けられる。この例では、照明部１４は、一部１４ａが開口部６ａの上端（天井６の上面）よりも上方に位置し、別の一部１４ｂが開口部６ａの下端（天井６の下面）よりも下方に位置するように設けられている。つまり、照明部１４は、開口部６ａを上下方向に貫通するように、開口部６ａの内部に設けられている。
【００３１】
なお、照明部１４の一部１４ａ及び別の一部１４ｂは、いずれも電球の光を発する部分（球の部分）であることが好ましい。すなわち、照明部１４は、照明部１４のうち光を発する部分の一部が開口部６ａの下端よりも上方に位置し、照明部１４のうち光を発する部分の別の一部が開口部６ａの下端よりも下方に位置するように設けられることが好ましい。
【００３２】
このように、光を照射する照明部１４の一部１４ａを天井６の開口部６ａの下端よりも上方に配置することで、照明部１４の天井６から下方への突出量を軽減させることができ、結果として照明装置１０の天井６から下方への突出量を軽減させることができる。また、照明部１４の別の一部１４ｂを天井６の開口部６ａの下端よりも下方に配置することで、照明部１４から水平方向に照射された光を後述のカバー部１６の側面部１６２に直接入射させることができる。
【００３３】
カバー部１６は、照明部１４の下方及び側方を覆うように設けられる。カバー部１６は、例えば、本体部１２に対して着脱自在に取り付けられる。カバー部１６は、照明部１４から照射された光を透過可能である。カバー部１６は、照明部１４の下方を覆う下面部１６１と、照明部１４の側方を覆う側面部１６２と、を有する。
【００３４】
側面部１６２の光透過率は、下面部１６１の光透過率よりも高い。下面部１６１の光透過率は、例えば、４０％以上８０％以下、好ましくは５０％以上７０％以下、より好ましくは６０％程度（例えば、５８％）である。側面部１６２の光透過率は、例えば、８０％以上１００％以下、好ましくは、９０％以上１００％以下、より好ましくは９５％以上１００％以下（例えば、９９％）である。
【００３５】
なお、下面部１６１の光透過率は、側面部１６２の光透過率の半分よりも大きいことが好ましい。これにより、下面部１６１を透過した光の強度が低くなりすぎることを抑制できる。すなわち、洗い場床４側が暗くなることを抑制できる。
【００３６】
ここで、光透過率は、例えば、全光線透過率または可視光透過率である。光透過率は、例えば、ＪＩＳ  Ｋ  ７３６１−１：１９９７に規定される全光線透過率であってもよい。光透過率は、例えば、ＪＩＳ  Ｋ  ７３７５：２００８に規定される全光線透過率であってもよい。
【００３７】
このように、照明部１４の別の一部１４ｂを開口部６ａの下端よりも下方に配置しつつ、カバー部１６の側面部１６２の光透過率を下面部１６１の光透過率より高いものとすることで、照明部１４から水平方向に照射された光を有効利用して、照明装置１０の側方に光を効果的に照射することができる。したがって、浴室空間全体が明るくなり、快適に浴室２を利用することができる。
【００３８】
また、カバー部１６に側面部１６２を設けることで、側面部１６２を透過した光が天井６に照射され、カバー部１６周辺の天井６を照らすことができる。これにより、間接照明のような演出効果が得られ、より快適に浴室２を利用することができる。
【００３９】
下面部１６１は、例えば、乳白色の樹脂などからなる。乳白色の樹脂などで下面部１６１を構成することで、照明部１４が粒状に透けて意匠性を損なうことを抑制できる。
【００４０】
側面部１６２は、例えば、透明な樹脂などからなる。透明な樹脂などで側面部１６２を構成することで、より容易に側面部１６２の光透過率を下面部１６１の光透過率よりも高くすることができる。なお、側面部１６２に透明な樹脂を用いる場合、側面部１６２にシボ加工などを施すことで、側面部１６２からカバー部１６の内部が見えてしまうことを抑制できる。
【００４１】
下面部１６１は、上方または下方に湾曲する湾曲部１６４を有する。換言すれば、下面部１６１は、上下方向の位置が異なる２点を有し、この２点は、弧状に連続する。この例では、湾曲部１６４は、下方に湾曲している。
【００４２】
このように、下面部１６１に上方または下方に湾曲する湾曲部１６４を設けることで、照明部１４から照射され下面部１６１の内側に反射した光が開口部６ａ内に入ってしまうことを抑制できる。これにより、照明部１４から照射された光をより有効に利用することができる。
【００４３】
湾曲部１６４は、下面部１６１の縁１６１ａから中央１６１ｂに向かうにつれ下方に向かうように湾曲している。下面部１６１の縁１６１ａは、平面視における下面部１６１の外周部である。下面部１６１の中央１６１ｂは、平面視における下面部１６１の中心である。下面部１６１の中央１６１ｂは、例えば、下面部１６１の重心である。
【００４４】
このように、下面部１６１の縁１６１ａから中央１６１ｂに向かうにつれ下方に向かうように湾曲する湾曲部１６４を設けることで、照明部１４と下面部１６１との距離が近くなってしまうことを抑制し、照明部１４から下方に照射された光が粒状に見えてしまうことを抑制できる。これにより、意匠性を向上させることができる。
【００４５】
この例では、湾曲部１６４は、下面部１６１の縁１６１ａの全周から中央１６１ｂに向かうにつれ下方に向かうように湾曲している。湾曲部１６４は、下面部１６１の縁１６１ａの一部から中央１６１ｂに向かうにつれ下方に向かうように湾曲していてもよい。換言すれば、湾曲部１６４は、下面部１６１の一部にだけ設けられていてもよい。
【００４６】
また、下面部１６１は、縁１６１ａに略水平なフラット部１６６を有する。ここで、「略水平」とは、天井６（または洗い場床４）とフラット部１６６とのなす角度が、０度±５度の状態である。
【００４７】
このように、下面部１６１の縁１６１ａに略水平なフラット部１６６を設けることで、カバー部１６の下面部１６１と側面部１６２とを別々に作製して溶着する場合に、溶着しやすい。
【００４８】
側面部１６２は、照明部１４から浴槽３側（壁パネル５ｃ側）に照射された光が透過する第１部分１６２ａと、照明部１４から浴槽３とは反対側（壁パネル５ｄ側）に照射された光が透過する第２部分１６２ｂと、を有する。
【００４９】
この例では、側面部１６２は、壁パネル５ａ〜５ｄのそれぞれに向かう４つの面を有する。第１部分１６２ａは、壁パネル５ｃに向かう面の一部である。第２部分１６２ｂは、壁パネル５ｄに向かう面の一部である。例えば、側面部１６２は、円筒状に連続する１つの面であってもよい。すなわち、第１部分１６２ａが連続する１つの面の一部であり、第２部分１６２ｂが連続する１つの面の別の一部であってもよい。
【００５０】
第１部分１６２ａを透過した光の強度は、第２部分１６２ｂを透過した光の強度よりも大きい。このように、照明部１４から浴槽３側に照射され第１部分１６２ａを透過した光の強度を、照明部１４から浴槽３とは反対側に照射され第２部分１６２ｂを透過した光の強度よりも大きくすることで、照明装置１０からの距離が遠く、範囲も広い浴槽３側を、明るくすることができる。
【００５１】
この例では、照明部１４は、第１部分１６２ａに照射される光の強度が、第２部分１６２ｂに照射される光の強度よりも大きくなるように、光軸ＯＡを傾けて設けられている。ここで、照明部１４の光軸ＯＡは、照明部１４の照射角度の中央である。
【００５２】
このように、第１部分１６２ａに照射される光の強度が第２部分１６２ｂに照射される光の強度よりも大きくなるように光軸ＯＡを傾けて照明部１４を設けることで、より容易に第１部分１６２ａを透過した光の強度を第２部分１６２ｂを透過した光の強度よりも大きくすることができる。これにより、より容易に浴槽３側を明るくすることができる。
【００５３】
なお、第１部分１６２ａを透過した光の強度を第２部分１６２ｂを透過した光の強度よりも大きくする手段は、照明部１４の光軸ＯＡを傾けることに限定されない。例えば、照明部１４と第１部分１６２ａとの水平方向の距離が照明部１４と第２部分１６２ｂとの水平方向の距離よりも短くなるように照明部１４やカバー部１６を設けることで、第１部分１６２ａを透過した光の強度を第２部分１６２ｂを透過した光の強度よりも大きくしてもよい。また、第１部分１６２ａの光透過率を第２部分１６２ｂの光透過率よりも大きくすることで、第１部分１６２ａを透過した光の強度を第２部分１６２ｂを透過した光の強度よりも大きくしてもよい。また、カバー部１６の内部に反射板やレンズなどを設けることで、第１部分１６２ａを透過した光の強度を第２部分１６２ｂを透過した光の強度よりも大きくしてもよい。
【００５４】
また、側面部１６２は、上方に向かうにつれ中央（下面部１６１の中央１６１ｂ）に近づくように構成されている。換言すれば、側面部１６２の上端は、側面部１６２の下端よりも内側に配置されている。この例では、側面部１６２の全周が、上方に向かうにつれ中央に近づくように構成されている。つまり、第１部分１６２ａ及び第２部分１６２ｂは、それぞれ、上方に向かうにつれ中央に近づくように構成されている。なお、実施形態においては、側面部１６２の一部だけが、上方に向かうにつれ中央に近づくように構成されていてもよい。
【００５５】
照明装置１０の側方に光を照射すると、天井６と側面部１６２（第１部分１６２ａ）とで形成される入角（角部）７に光が当たりやすくなるが、側面部１６２（第１部分１６２ａ）を上方に向かうにつれ中央に近づくように構成することで、入角７を入浴者の目に触れにくくすることができる。入角７は水が溜まりやすく乾燥しにくいためカビなどによる黒ずみが発生しやすいが、この構成により、入角７に光が当たりやすくなった際にも、意匠性が低下してしまうことを抑制できる。
【００５６】
また、側面部１６２を上方に向かうにつれ中央に近づくように構成することで、側面部１６２と天井６との間の空間に指を入れることが可能になる。したがって、カバー部１６を本体部１２に対して着脱する際に、着脱しやすくなる。
【００５７】
側面部１６２は、上方に向かうにつれ中央に近づくように傾斜している。この例では、側面部１６２の全周が、上方に向かうにつれ中央に近づくように傾斜している。つまり、第１部分１６２ａ及び第２部分１６２ｂは、それぞれ、上方に向かうにつれ中央に近づくように傾斜している。なお、実施形態においては、側面部１６２の一部だけが、上方に向かうにつれ中央に近づくように傾斜していてもよい。
【００５８】
このように、側面部１６２（第１部分１６２ａ）を上方に向かうにつれ中央に近づくように傾斜させることで、入角７に溜まった水がより速やかに排出されやすくなる。これにより、入角７に黒ずみが発生することを抑制できる。
【００５９】
また、照明装置１０は、照明部１４から照射された光の一部を遮蔽可能な遮蔽部１８をさらに有する。遮蔽部１８は、照明部１４から天井６と側面部１６２とで形成される入角７に直接照射される光を遮蔽する。
【００６０】
遮蔽部１８は、光を遮蔽可能な材質で構成される。例えば、遮蔽部１８の光透過率は、カバー部１６の側面部１６２の光透過率よりも低い。遮蔽部１８の光透過率は、例えば、０％以上２０％以下、好ましくは０％以上１０％以下、より好ましくは０％以上５％以下である。
【００６１】
照明装置１０の側方に光を照射すると、天井６と側面部１６２とで形成される入角７に光が当たりやすくなる。入角７は水が溜まりやすく乾燥しにくいためカビなどによる黒ずみが発生しやすいが、遮蔽部１８を設けることで、入角７に光が当たりにくくすることができるため、意匠性が低下してしまうことを抑制できる。
【００６２】
遮蔽部１８は、水平方向において入角７と重なる位置に設けられる。換言すれば、遮蔽部１８は、入角７の真横に設けられ、入角７を形成する側面部１６２の上端よりも下方に配置される。この例では、天井６の下面よりも下方に位置する本体部１２のフランジ部１２ｂが、遮蔽部１８として機能している。遮蔽部１８は、これに限定されず、本体部１２とは別に設けられてもよい。遮蔽部１８は、例えば、カバー部１６に設けられてもよい。
【００６３】
このように、水平方向において入角７と重なる位置に遮蔽部１８を設けることで、照明部１４から入角７に向かって水平方向に照射された光を、遮蔽部１８で遮蔽することができる。これにより、入角７に光が当たりにくくすることができるため、意匠性が低下してしまうことを抑制できる。
【００６４】
実施形態において、カバー部１６は、例えば、光透過率の異なる下面部１６１と側面部１６２とを別々に成形し、これらを溶着することで作製される。この例では、下面部１６１は、フラット部１６６から略鉛直に上方に延びる上延部１６８を有する。側面部１６２は、傾斜する部分の下端から略鉛直に下方に延びる下延部１６９を有する。カバー部１６の下面部１６１と側面部１６２とは、上延部１６８と下延部１６９とが溶着されることで溶着される。下面部１６１と側面部１６２との溶着部には、上延部１６８と下延部１６９とからなる略鉛直な面が形成されている。
【００６５】
図４は、実施形態に係る照明装置を模式的に表す平面図である。  
図４は、図１に示すＣの方向から見た平面図である。  
図４に表したように、下面部１６１の平面視における面積は、例えば、開口部６ａの平面視における面積よりも大きい。開口部６ａの平面視における面積は、例えば、開口部６ａの下端の面積である。
【００６６】
このように、下面部１６１の平面視における面積を開口部６ａの平面視における面積よりも大きくすることで、照明部１４から照射され下面部１６１の内側に反射した光が開口部６ａ内に入ってしまうことを抑制できる。これにより、照明部１４から照射された光をより有効に利用することができる。
【００６７】
また、図４に表したように、この例では、開口部６ａ及び下面部１６１の平面視における形状は、略正方形状である。開口部６ａ及び下面部１６１の平面視における形状は、これに限定されず、円形などであってもよい。また、下面部１６１の平面視における形状は、開口部６ａの平面視における形状と同じであってもよいし、異なっていてもよい。
【００６８】
図５は、実施形態に係る浴室を模式的に表す平面図である。  
図５は、図１に示すＤの方向から見た平面図である。  
図５に表したように、この例では、照明部１４は、光軸ＯＡが壁パネル５ａに対して平行になるように設けられている。換言すれば、照明部１４は、光軸ＯＡが壁パネル５ｃに対して垂直に入射するように設けられている。
【００６９】
なお、照明部１４を設ける向きはこれに限定されない。後述のように、照明部１４は、光軸ＯＡが壁パネル５ａに対して傾斜するように設けられてもよい（図８参照）。
【００７０】
図６は、実施形態に係る照明装置の変形例を模式的に表す側面図である。  
図７は、実施形態に係る照明装置の変形例を模式的に表す断面図である。  
図６は、図２と同じ方向から見た側面図である。  
図７は、図３と同じ方向から見た断面図である。  
図６及び図７に表したように、この例では、カバー部１６の下面部１６１は、上方または下方に傾斜する傾斜部１６５を有する。換言すれば、下面部１６１は、上下方向の位置が異なる２点を有し、この２点は、直線状に連続する。この例では、傾斜部１６５は、下方に傾斜している。
【００７１】
このように、下面部１６１に上方または下方に傾斜する傾斜部１６５を設けることで、照明部１４から照射され下面部１６１の内側に反射した光が開口部６ａ内に入ってしまうことを抑制できる。これにより、照明部１４から照射された光をより有効に利用することができる。
【００７２】
傾斜部１６５は、下面部１６１の縁１６１ａから中央１６１ｂに向かうにつれ下方に向かうように傾斜している。このように、下面部１６１の縁１６１ａから中央１６１ｂに向かうにつれ下方に向かうように傾斜する傾斜部１６５を設けることで、照明部１４と下面部１６１との距離が近くなってしまうことを抑制し、照明部１４から下方に照射された光が粒状に見えてしまうことを抑制できる。これにより、意匠性を向上させることができる。
【００７３】
この例では、傾斜部１６５は、下面部１６１の縁１６１ａの全周から中央１６１ｂに向かうにつれ下方に向かうように傾斜している。傾斜部１６５は、下面部１６１の縁１６１ａの一部から中央１６１ｂに向かうにつれ下方に向かうように傾斜していてもよい。換言すれば、傾斜部１６５は、下面部１６１の一部にだけ設けられていてもよい。また、下面部１６１の一部に湾曲部１６４が設けられ、下面部１６１の別の一部に傾斜部１６５が設けられていてもよい。
【００７４】
また、カバー部１６の側面部１６２は、上方に向かうにつれ中央に近づくように湾曲している。この例では、側面部１６２の全周が、上方に向かうにつれ中央に近づくように湾曲している。つまり、第１部分１６２ａ及び第２部分１６２ｂは、それぞれ、上方に向かうにつれ中央に近づくように湾曲している。なお、実施形態においては、側面部１６２の一部だけが、上方に向かうにつれ中央に近づくように湾曲していてもよい。
【００７５】
このように、側面部１６２（第１部分１６２ａ）を上方に向かうにつれ中央に近づくように湾曲させることで、入角７に溜まった水がより速やかに排出されやすくなる。これにより、入角７に黒ずみが発生することを抑制できる。
【００７６】
図８は、実施形態に係る浴室の変形例を模式的に表す平面図である。  
図８は、図５と同じ方向から見た平面図である。  
図８に表したように、照明部１４は、光軸ＯＡが壁パネル５ａに対して傾斜するように設けられてもよい。この例では、照明部１４は、光軸ＯＡが壁パネル５ｃの中央付近に入射するように設けられている。
【００７７】
このように、光軸ＯＡが壁パネル５ｃの中央付近に入射するように照明部１４を設けることで、照明装置１０から遠い壁パネル５ｃの壁パネル５ｂ側を明るくすることができる。これにより、浴室２全体をより明るくすることができる。
【００７８】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、浴室や照明装置などが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００７９】
２ 浴室、  ３ 浴槽、  ４ 洗い場床、  ５、５ａ〜５ｄ 壁パネル、  ６ 天井、  ６ａ 開口部、  １０ 照明装置、  １２ 本体部、  １２ａ カップ部、  １２ｂ フランジ部、  １４ 照明部、  １４ａ 一部、  １４ｂ 別の一部、  １６ カバー部、  １８ 遮蔽部、  ２０ 水栓装置、  ３０ 洗面カウンター、  １６１ 下面部、  １６１ａ 縁、  １６１ｂ 中央、  １６２ 側面部、  １６２ａ、１６２ｂ 第１、第２部分、  １６４ 湾曲部、  １６５ 傾斜部、  １６６ フラット部、  １６８ 上延部、  １６９ 下延部、  ＯＡ 光軸
【図１】
2020136049.tif 000003
【図２】
2020136049.tif 000004
【図３】
2020136049.tif 000005
【図４】
2020136049.tif 000006
【図５】
2020136049.tif 000007
【図６】
2020136049.tif 000008
【図７】
2020136049.tif 000009
【図８】
2020136049.tif 000010